(57)【要約】【課題】本発明は印刷装置の消費電力を軽減しつつ、リレーの寿命を確実に把握し、リレーの交換を効率よく行うことができる電源供給制御装置を提供するものである。【解決手段】電源供給制御装置であって、電源と負荷の間に接続された第１、第２の電源供給切替手段と、上記第１電源供給切替手段を所定回数駆動し、以後前記第１、第２の電源供給切替手段を交互に駆動する駆動制御手段と、上記第１、第２の電源供給切替手段の駆動不良を検知し、交換指示を行う不良検知表示手段とを有することを特徴とする。【選択図】    図１
2012058628.tif 000002
【特許請求の範囲】
【請求項１】
電源と負荷の間に接続された第１、第２の電源供給切替手段と、
前記第１電源供給切替手段を所定回数駆動し、以後前記第１、第２の電源供給切替手段を交互に駆動する駆動制御手段と、
前記第１、第２の電源供給切替手段の駆動不良を検知し、交換表示を行う不良検知表示手段と、
を有することを特徴とする電源供給制御装置。
【請求項２】
前記第１の電源供給切替手段を駆動する所定回数は、前記第１の電源供給切替手段の寿命駆動回数の１／２の駆動回数であることを特徴とする請求項１に記載の電源供給制御装置。
【請求項３】
前記第１、第２の電源供給切替手段の駆動履歴を記憶する記憶手段を有し、前記駆動履歴に基づいて前記第１、又は第２の電源供給切替手段の駆動を行うことを特徴とする請求項１、又は２に記載の電源供給制御装置。
【請求項４】
前記第１、第２の電源供給切替手段は、リレーであることを特徴とする請求項１、２、又は３に記載の電源供給制御装置。
【請求項５】
前記負荷は、印刷装置であることを特徴とする請求項１、２、３、又は４に記載の電源供給制御装置。
【発明の詳細な説明】
【技術分野】
【０００１】
本発明は、印刷装置等に使用される電源供給制御装置に関する。
【背景技術】
【０００２】
今日、地球環境の保持が世界的に叫ばれ、地球温暖化防止会議を中心として温室効果ガスの排出規制が実現化に向かっている。このような状況において、プリンタ装置や複写機等の印刷装置においても、消費電力の削減が要求されている。このため、印刷装置のなかでも特に消費電力の大きい熱定着装置の温度を低く保つ、省電力モードの設定は重要である。
【０００３】
この省電力モードの設定にリレーを使用する場合も多い。しかし、リレーを使用した場合、オン/オフ回数が約１０万回で寿命となる。一方、印刷装置の寿命は、印刷枚数として５０万枚と考えた場合、印刷終了後直ちにリレーを駆動して省電力モードに設定する場合、１００万回（５０万×２（オン/オフ））リレーを駆動することになり、１０個のリレーが必要となる。
【０００４】
また、印刷装置の省電力モードへの移行を、例えば１５分間印刷動作が行われない場合とすると、１日８時間として６４回（８×６０分÷１５×２）のリレー駆動が行われ、印刷装置の寿命される５年間では８３、２００回（６４×５日×５２週×５年）のリレー駆動が行われることになる。
【０００５】
尚、特許文献１は予め交換時期が設定されたファンや電解コンデンサ等の部品について、現実の使用状況に従って交換時期を演算し、適正な交換時期に部品の交換を行い、交換頻度を減らす発明である。
【先行技術文献】
【特許文献】
【０００６】
【特許文献１】特開平５−２８１００１号公報
【発明の概要】
【発明が解決しようとする課題】
【０００７】
上記リレーの駆動例の場合以下の問題がある。例えば、１５分間印刷動作が行われない場合省電力モードへの移行する例では、リレーの駆動回数は８万２千回程度でリレーの寿命（１０万回）以内の駆動回数であるが、１５分間電力消費が行われていることを考えると、地球環境保護の点から好ましくない。
【０００８】
また、印刷終了毎にリレーを駆動して省電力モードに移行する場合には、多くのリレーを必要とし、例えば当初から１０個リレーを配設する場合には、何れのリレーが寿命に達しているのか判断することが困難である。また、当初１個リレーを配設する場合には、リレーを頻繁に交換する必要があり、例えばリレーがオフ状態で寿命に達し、故障すると印刷装置に電源が入らず、障害となる。一方、リレーがオン状態で寿命に達し、印刷装置の電源が切れない場合には、無駄な電力を消費することになり好ましくない。
【０００９】
そこで、本発明は印刷装置の消費電力を軽減しつつ、リレーの寿命を確実に把握し、リレーの交換を効率よく行うことができる電源供給制御装置を提供するものである。
【課題を解決するための手段】
【００１０】
上記課題は第１の発明によれば、電源と負荷の間に接続された第１、第２の電源供給切替手段と、前記第１電源供給切替手段を所定回数駆動し、以後前記第１、第２の電源供給切替手段を交互に駆動する駆動制御手段と、前記第１、第２の電源供給切替手段の駆動不良を検知し、交換指示を行う不良検知表示手段とを有する電源供給制御装置を提供することによって達成できる。
【００１１】
また、上記課題は第２の発明によれば、前記第１の電源供給切替手段を駆動する所定回数は、前記第１の電源供給切替手段の寿命駆動回数の１／２の駆動回数である電源供給制御装置を提供することによって達成できる。
【００１２】
また、上記課題は第３の発明によれば、前記第１、第２の電源供給切替手段の駆動履歴を記憶する記憶手段を有し、前記駆動履歴に基づいて前記第１、又は第２の電源供給切替手段の駆動を行う電源供給制御装置を提供することによって達成できる。
【００１３】
また、上記課題は第４の発明によれば、前記第１、第２の電源供給切替手段は、リレーである電源供給制御装置を提供することによって達成できる。
【００１４】
さらに、上記課題は第５の発明によれば、前記負荷は、印刷装置である電源供給制御装置を提供することによって達成できる。
【発明の効果】
【００１５】
本発明によれば、少ないメモリ容量で印刷装置の消費電力を計算でき、リザーブのメモリ容量も必要なく、印刷速度の変更においても容易に対応できる消費電力計算装置を提供することを目的とする。
【図面の簡単な説明】
【００１６】
【図１】本実施形態の電源供給制御装置を含む印刷装置のシステム構成図である。
【図２】ＥＥＰＲＯＭの構成を示す図である。
【図３】本実施形態の処理を説明するフローチャートである。
【図４】リレーの寿命表示を説明するフローチャートである。
【図５】リレーの交換処理を説明するフローチャートである。
【発明を実施するための形態】
【００１７】
以下、本発明の実施の形態を図面に基づいて説明する。
図１は、本実施形態の電源供給制御装置を含む印刷装置のシステム構成図である。同図において、本実施形態における電源供給制御装置１は、印刷装置であるプリンタ装置２に電源供給を行う。電源供給制御装置１はオペレーションパネル３が接続された電源制御部４、２つのリレー５、６、＋５Ｖ電源７、＋２４Ｖ電源８、及び電源スイッチＳＷで構成されている。
【００１８】
電源制御部４はＭＰＵ９及びＥＥＰＲＯＭ１０を備え、＋５Ｖ電源７を通して電源供給が行われて際、プリンタ装置２に電源投入を通知し、リレー５、６の何れかを駆動する指示信号（ＲＰ１又はＲＰ２）を出力する制御を行う。また、オペレーションパネル３からの利用者の操作信号も入力し、指示に従った処理をプリンタ装置２に実行させる。尚、電源制御部４にはＬＡＮケーブルを介してパーソナルコンピュータ（ＰＣ）からの指示が行われる。
【００１９】
ＭＰＵ９は上記制御を行い、ＥＥＰＲＯＭ１０には後述するリレー５及び６の交換回数等のデータが記録される。図２はＥＥＰＲＯＭ１０のデータ構成を示す図である。同図に示すように、ＥＥＰＲＯＭ１０はリレー５及び６の交換回数の記憶エリア、リレー５及び６の駆動回数の記憶エリア、及び前回使用したリレー５又は６の記憶エリアで構成されている。尚、前回使用したリレー５又は６の記憶エリアには、リレー５を使用した場合フラグ“０”がセットされ、リレー６を使用した場合フラグ“１”がセットされる構成である。
【００２０】
＋５Ｖ電源７は上記電源スイッチＳＷをオンした際、供給されるＡＣ１００Ｖの商用電源を＋５Ｖの直流電源に変換する装置であり、＋５Ｖ電源７から何れかのリレー５又は６を介してプリンタ装置２の制御回路に電源供給が行われる。また、＋２４Ｖ電源８はＡＣ１００Ｖの商用電源を＋２４Ｖの直流電源に変換し、プリンタ装置２に設置されたモータや冷却ファン等に供給される。尚、ＡＣ１００Ｖの商用電源は不図示のヒータへも電源供給される。
【００２１】
一方、プリンタ装置２はインターフェースコントローラ（以下、Ｉ／Ｆコントローラで示す）１２、ヘッド制御部１３、エンジン制御部１４、印字ヘッド１５で構成されている。Ｉ／Ｆコントローラ１２はＭＰＵ１６を備え、例えばパーソナルコンピュータ（ＰＣ）から供給された印刷データのコマンド解析を行い、印刷データをビデオデータに変換し、ヘッド制御部１３に送信する。ヘッド制御部１３は垂直同期信号（VSYNC）、及び水平同期信号（HSYNC）をＩ／Ｆコントローラ１２に送信し、水平同期信号（HSYNC）に同期して上記ビデオデータをＩ／Ｆコントローラ１２から受信する。
【００２２】
ヘッド制御部１３はビデオ変換部１８、ＲＡＭ１９、補正データ変換部２０で構成され、ビデオ変換部１８はＩ／Ｆコントローラ１２から送信されたビデオデータの階調制御を行い、その際補正データ変換部２０の補正データを加味したデータ変換処理を行う。そして、ビデオデータはヘッド制御部１３から印字ヘッド１５に送信され、印字ヘッド１５による用紙への印字処理が行われる。尚、印字ヘッド１５は、本例において、ブラック（Ｋ）、イエロー（Ｙ）、シアン（Ｃ）、マゼンタ（Ｍ）の４色の印字処理を行う印字ヘッド１５Ｋ、１５Ｙ、１５Ｃ、１５Ｍで構成されている。
【００２３】
エンジン制御部１４はＭＰＵ２１、ＲＯＭ２２、ファン２３、各種入出力センサ/クラッチ２４、モータ制御部２５、定着制御部２６、及びヒータ２７ａ、２７ｂで構成されている。エンジン制御部１４はＲＯＭ２２に記憶されたプログラムに従って、ファン２３や各種入出力センサ/クラッチ２４、モータ制御部２５、定着制御部２６、及びヒータ２７ａ、２７ｂの駆動制御を行う。また、上記構成のエンジン制御部１４を駆動するための電源は前述の＋５Ｖ電源７や＋２４Ｖ電源８から供給される。
【００２４】
以上の構成において、以下に本例の処理動作を説明する。
図３は本例の処理を説明するフローチャートである。先ず、前述の電源スイッチＳＷをオンすると、データ受信部７を介して＋５Ｖの直流電源が電源制御部４に供給され、ＭＰＵ９は初期化処理を行う（ステップ（以下、Ｓで示す）１）。
【００２５】
次に、ＭＰＵ９はＥＥＰＲＯＭ１０を駆動し（Ｓ２）、ＥＥＰＲＯＭ１０に記憶されたデータを読み出す。前述のように、ＥＥＰＲＯＭ１０は図２に示す構成であり、リレー５又は６の交換回数の情報や、リレー５又は６の駆動回数の情報が記憶されている。したがって、ＭＰＵ９は上記ＥＥＰＲＯＭ１０の記憶された情報に基づいてリレー５及び６の交換情報を読み出し、未だリレー５又は６の交換が行われていない場合（Ｓ３がＮＯ）、リレー５が寿命の半分の駆動回数に達したか判断する（Ｓ４）。
【００２６】
ここで、例えばリレー５の寿命駆動回数が５０万回であるとすれば、リレー５が２５万回以上駆動していなければ（Ｓ４がＹＥＳ）、リレー５をオンし、リレー５の駆動回数を＋１し、前回使用のリレーとしてリレー５をセットする（Ｓ５）。すなわち、前述のように図２に示すＥＥＰＲＯＭ１０の対応するエリアに“０”をセットする。尚、上記リレー５の寿命判断もＥＥＰＲＯＭ１０に記憶されたデータに基づいて行われる。
【００２７】
次に、リレー交換表示処理を行う（Ｓ６）。図４はこのリレー交換表示処理を具体的に説明するフローチャートである。すなわち、先ずリレー５の寿命を判断し（Ｓ６−１）、リレー５が寿命に達していれば（Ｓ６−１がＹＥＳ）、リレー５の交換表示をオペレーションパネル３に行い（Ｓ６−２）、リレー５が寿命に達していなければ（Ｓ６−１がＮＯ）、更にリレー６の寿命判断を行う（Ｓ６−３）。そして、リレー６が寿命に達していれば（Ｓ６−３がＹＥＳ）、リレー６の交換表示を行い（Ｓ６−４）、リレー６が寿命に達していなければ（Ｓ６−３がＮＯ）、次の処理に移行する。
【００２８】
尚、最初の判断では、リレー５及び６は寿命に達しておらず、プリンタ装置２には電源スイッチＳＷのオンに従ってプリンタ装置２には電源供給が行われており、印刷データに従って印刷データを受信し、又はキー操作に従って印刷処理を行う（Ｓ７、Ｓ８）。
【００２９】
その後、印刷処理が終了すると（Ｓ９がＹＥＳ）、予め設定された所定時間の経過を待って（Ｓ１０がＹＥＳ）、エンジン制御部１４等への電源供給を停止する指定が行われ（Ｓ１１）、省電力モードに設定される（Ｓ１２）。
【００３０】
その後、現在使用中のリレーを判断し（Ｓ１３）、リレー５を使用していれば（Ｓ１３がＹＥＳ）、リレー５を駆動してプリンタ装置２への電源供給を停止し、リレー５の駆動回数を＋１し、前回使用のリレーとしてリレー５をセットする（Ｓ１４）。そして、パーソナルコンピュータ（ＰＣ）からの新たな印刷データの受信、又はキー操作信号の入力を待つ（Ｓ１５）。
【００３１】
その後、プリンタ装置２が印刷処理（Ｓ８）を繰り返し、リレー５のオン、オフ動作が繰り返されると、リレー５の寿命である５０万回の駆動回数に達する（Ｓ４がＹＥＳ）。リレー５が寿命の駆動回数に達すると、電源制御部４のＭＰＵ９はＥＥＰＲＯＭ１０の情報に基づいて前回使用のリレーを判断する（Ｓ１６）。最初のこの判断では、前回使用のリレーはリレー５であり（Ｓ１６がＹＥＳ）、リレー６をオンし、リレー６の駆動回数を＋１し、前回使用のリレーとしてリレー６をセットする（Ｓ１７）。この場合、図２に示すＥＥＰＲＯＭ１０の対応するエリアに“１”がセットされる。
【００３２】
その後、印刷処理（Ｓ８）を行い、リレー６をオフし、リレー６の駆動回数を＋１し、省電力モードへの移行処理を行う（Ｓ１３、Ｓ１８）。
以後、判断（Ｓ３）がＹＥＳとなり、前回使用したリレーの判断を行い（Ｓ１６）、リレー５と６を交互に駆動して（Ｓ５又はＳ１４、Ｓ１７又はＳ１８）、印刷処理を行う（Ｓ８）。したがって、ＥＥＰＲＯＭ１０のリレー５又は６の駆動回数の記憶エリアには、交互に加算される駆動回数のデータが書き込まれ、最初にリレー５の駆動回数が寿命である駆動回数５０万回に達する。
【００３３】
この時、前述の図４に示すフローチャートの処理に従ってリレー交換表示が行われる（Ｓ６、Ｓ６−２）。この表示に従って、例えばプリンタ装置２の管理者がリレー５の交換処理を行うと、図５に示すフローチャートに示すように、ＥＥＰＲＯＭ１０のリレー５の交換回数を＋１する（ステップ（以下、ＳＴで示す）１がＹＥＳ、ＳＴ２）。
【００３４】
したがって、上記のように本例によれば何れかのリレー５又は６が寿命に達した時、交換すべきリレー５又は６がオペレーションパネル３に表示され、管理者は容易に交換が必要なリレー５又は６の判断を行うことができる。
【００３５】
その後、更にプリンタ装置２による印刷処理は繰り返され、次にリレー６が寿命の５０万回の駆動回数に達する。この場合も前述と同様、図４に示すフローチャートの処理に従ってリレー交換表示が行われ（Ｓ６、Ｓ６−２）、この表示に従って、例えばプリンタ装置２の管理者がリレー６の交換処理を行うと、図５に示すフローチャートに示すように、ＥＥＰＲＯＭ１０のリレー６の交換回数を＋１する（ＳＴ３がＹＥＳ、ＳＴ４）。
【００３６】
以後、上記処理を繰り返し、リレー５又は６が寿命の駆動回数５０万回に達する毎にＥＥＰＲＯＭ１０のリレーの交換回数の記憶エリアには、何れかのリレーの交換回数の加算処理が繰り返される。
【００３７】
以上のように本実施形態によれば、最初リレー５の駆動を連続し、例えば寿命の半分に達した後、リレー６の駆動を開始し、以後交互に駆動を繰り返すことによって、リレー５及び６が順番に寿命に達し、更に寿命となったリレー５又は６の表示を行うことによって、容易に交換すべきリレーを知ることができる。
【００３８】
また、リレーの交換を容易かつ確実に行うことができるので、例えばリレーがオフ状態で寿命に達した場合、印刷装置の電源が入らない問題を無くすことができる。例えば、リレー５がオフ状態で故障した場合、前回使用のリレーか否かの判断を行い（Ｓ１９）、この場合判断（Ｓ１９）がＮＯとなり、リレー６を駆動させてプリンタ装置２に電源を供給することができる。
【００３９】
また、リレーがオン状態で寿命に達し、印刷装置の電源が切れない場合でも、前述のように交換すべきリレーの表示を行うことができるので、容易に寿命となったリレーの交換を行うことができる。また、容易に寿命となったリレーの交換を行うことができるので、無駄な電力消費を抑えることができる。
【符号の説明】
【００４０】
１・・・電源供給制御装置
２・・・プリンタ装置
３・・・オペレーションパネル
４・・・電源制御部
５、６・・リレー
７・・・＋５Ｖ電源
８・・・＋２４Ｖ電源
９・・・ＭＰＵ
１０・・ＥＥＰＲＯＭ
１２・・Ｉ／Ｆコントローラ
１３・・ヘッド制御部
１４・・エンジン制御部
１５、１５Ｋ、１５Ｙ、１５Ｃ、１５Ｍ・・印字ヘッド
２１・・ＭＰＵ
２２・・ＲＯＭ
２３・・ファン
２４・・各種入出力センサ/クラッチ
２５・・モータ制御部
２６・・定着制御部
２７ａ、２７ｂ・・ヒータ
【図１】
2012058628.tif 000003
【図２】
2012058628.tif 000004
【図３】
2012058628.tif 000005
【図４】
2012058628.tif 000006
【図５】
2012058628.tif 000007